(57)【要約】【課題】利便性の向上が図れる画像表示装置を提供する。【解決手段】画像表示装置としてのプロジェクタ１を構成する制御装置４０は、各入力端子３０のいずれかの入力端子３０を選択する入力選択部４１と、入力端子３０毎に、画像信号が入力されている入力状態であるか、または画像信号が入力されていない非入力状態であるかを検出する入力状態検出部４２と、入力状態の入力端子３０を入力選択部４１に選択させ、選択された入力端子３０を介して画像信号を入力させる主制御部４５と、選択された入力端子３０を介して入力された画像信号に基づいて、画像投射装置１０に画像を表示させる表示制御部４４とを備える。主制御部４５は、各入力端子３０のうち入力選択部４１にて選択されている選択入力端子３０が入力状態から非入力状態になった場合には、非入力状態の選択入力端子３０を継続して入力選択部４１に選択させる。【選択図】図１
2009150965.tif 000002
【特許請求の範囲】
【請求項１】
画像情報に基づく画像を表示する表示手段と、前記画像情報を入力するための複数の入力端子と、前記複数の入力端子のいずれかの入力端子を介して入力した前記画像情報に基づく画像を前記表示手段に表示させる制御手段とを備えた画像表示装置であって、
前記制御手段は、
前記複数の入力端子のいずれかの入力端子を選択する入力選択部と、
前記複数の入力端子毎に、前記画像情報が入力されている入力状態であるか、または前記画像情報が入力されていない非入力状態であるかを検出する入力状態検出部と、
前記入力状態の入力端子を前記入力選択部に選択させ、選択された前記入力端子を介して前記画像情報を入力させる選択制御を実施する選択制御部と、
選択された前記入力端子を介して入力された前記画像情報に基づいて、前記表示手段に画像を表示させる表示制御部とを備え、
前記選択制御部は、
前記選択制御を実施する際、前記複数の入力端子のうち前記入力選択部にて選択されている選択入力端子が前記入力状態から前記非入力状態になった場合には、前記非入力状態の前記選択入力端子を継続して前記入力選択部に選択させる
ことを特徴とする画像表示装置。
【請求項２】
請求項１に記載の画像表示装置において、
前記選択入力端子を除く他の前記入力端子を選択し前記画像情報の入力を切り換える旨の入力切換情報を設定入力させる設定入力手段を備え、
前記選択制御部は、
前記非入力状態の前記選択入力端子を継続して前記入力選択部に選択させている際、前記入力切換情報が設定入力された場合には、前記選択入力端子を除く他の前記入力状態の入力端子を前記入力選択部に選択させる
ことを特徴とする画像表示装置。
【請求項３】
請求項１または請求項２に記載の画像表示装置において、
前記表示手段は、光源装置と、前記光源装置から射出された光束を前記画像情報に基づいて変調する光変調装置と、前記光変調装置にて変調された光束を拡大投射する投射光学装置とを備えている
ことを特徴とする画像表示装置。
【請求項４】
画像情報に基づく画像を表示する表示手段と、前記画像情報を入力するための複数の入力端子と、前記複数の入力端子のいずれかの入力端子を介して入力した前記画像情報に基づく画像を前記表示手段に表示させる制御手段とを備えた画像表示装置の制御方法であって、
前記制御手段が、
前記複数の入力端子毎に、前記画像情報が入力されている入力状態であるか、または前記画像情報が入力されていない非入力状態であるかを検出する入力状態検出ステップと、
前記入力状態の入力端子を選択し、選択した前記入力端子を介して前記画像情報を入力させる選択制御ステップと、
選択した前記入力端子を介して入力された前記画像情報に基づいて、前記表示手段に画像を表示させる表示制御ステップとを実行し、
前記選択制御ステップでは、
前記複数の入力端子のうち選択している選択入力端子が前記入力状態から前記非入力状態になった場合には、前記非入力状態の前記選択入力端子を継続して選択する
ことを特徴とする制御方法。
【請求項５】
画像情報に基づく画像を表示する表示手段と、前記画像情報を入力するための複数の入力端子と、前記複数の入力端子のいずれかの入力端子を介して入力した前記画像情報に基づく画像を前記表示手段に表示させる制御手段とを備えた画像表示装置の制御プログラムであって、
請求項４に記載の制御方法を前記制御手段に実行させる
ことを特徴とする制御プログラム。
【請求項６】
請求項５に記載の制御プログラムがコンピュータに読取可能に記録されていることを特徴とする制御プログラムを記録した記録媒体。
【発明の詳細な説明】
【技術分野】
【０００１】
本発明は、画像表示装置、制御方法、制御プログラム、および記録媒体に関する。
【背景技術】
【０００２】
従来、種々の形式の画像信号の供給を受けることによりプレゼンテーションを行ったり映画等の映像を観賞したりすることを可能とする映像入力切換装置（画像表示装置）が知られている（例えば、特許文献１参照）。
そして、特許文献１に記載の画像表示装置は、パーソナルコンピュータやＤＶＤ(Digital Versatile Disk)プレーヤ等の種々の外部機器と接続するための複数の入力端子を備え、本体操作部やリモートコントローラに設けられた入力切換スイッチの操作（以下、入力切換操作）により種々の形式の画像信号の入力を切換可能に構成されている。
また、特許文献１に記載の画像表示装置では、利用者による入力切換操作を簡略化するために、入力信号の有無にしたがって自動的に画像信号の入力を切り換える自動モードが設けられている。
【０００３】
【特許文献１】特開２００１−３０９２４９号公報
【発明の開示】
【発明が解決しようとする課題】
【０００４】
しかしながら、特許文献１に記載の画像表示装置では、自動モードに設定されている際、利用者が利用目的とする外部機器（以下、目的機器）から画像表示装置に供給される画像信号を一時的に中断させた場合には、目的機器からの画像信号の入力がなくなるため、自動的に他の外部機器へと画像信号の入力を切り換えてしまう。すなわち、画像表示装置には、利用者が意図しない他の外部機器からの画像が表示されることとなり、利便性の向上が図れない。
また、利用者は、目的機器からの画像を再度、画像表示装置に表示させる際には、入力切換操作によって、目的機器からの画像信号の入力に切り換える必要がある。すなわち、利用者に入力切換操作を強いることとなる。特に、画像表示装置の操作に慣れていない利用者では、目的機器からの画像を再度、画像表示装置に表示させる際、どのように操作すればよいか分からず、いつまでも他の外部機器からの画像を表示させてしまう。
【０００５】
本発明の目的は、利便性の向上が図れる画像表示装置、制御方法、制御プログラム、および記録媒体を提供することにある。
【課題を解決するための手段】
【０００６】
本発明の画像表示装置は、画像情報に基づく画像を表示する表示手段と、前記画像情報を入力するための複数の入力端子と、前記複数の入力端子のいずれかの入力端子を介して入力した画像情報に基づく画像を前記表示手段に表示させる制御手段とを備えた画像表示装置であって、前記制御手段は、前記複数の入力端子のいずれかの入力端子を選択する入力選択部と、前記複数の入力端子毎に、前記画像情報が入力されている入力状態であるか、または前記画像情報が入力されていない非入力状態であるかを検出する入力状態検出部と、前記入力状態の入力端子を前記入力選択部に選択させ、選択された前記入力端子を介して前記画像情報を入力させる選択制御を実施する選択制御部と、選択された前記入力端子を介して入力された前記画像情報に基づいて、前記表示手段に画像を表示させる表示制御部とを備え、前記選択制御部は、前記選択制御を実施する際、前記複数の入力端子のうち前記入力選択部にて選択されている選択入力端子が前記入力状態から前記非入力状態になった場合には、前記非入力状態の前記選択入力端子を継続して前記入力選択部に選択させることを特徴とする。
【０００７】
本発明では、画像表示装置を構成する制御手段は、入力選択部、入力状態検出部、選択制御部、および表示制御部を備えているので、以下に示すように、画像情報を入力し、入力した画像情報に基づく画像を表示手段に表示させることができる。
先ず、入力状態検出部は、複数の入力端子とそれぞれ直接、接続し、複数の入力端子毎に、画像情報が入力されている入力状態であるか、画像情報が入力されていない非入力状態であるかを検出する（入力状態検出ステップ）。
そして、選択制御部は、複数の入力端子のうち、入力状態検出部にて入力状態であると検出された入力端子を入力選択部に選択させ、選択された入力端子を介して画像情報を入力させる選択制御（入力状態の入力端子を選択させ自動的に画像情報の入力を切り換える制御）を実施する（選択制御ステップ）。
この後、表示制御部は、入力端子を介して入力された画像情報に基づいて、表示手段に画像を表示させる（表示制御ステップ）。
ここで、選択制御部は、選択制御を実施する際、以下の場合に限り、異なる制御を実施する。
すなわち、選択制御部は、複数の入力端子のうち入力選択部にて現在、選択されている選択入力端子が入力状態から非入力状態になった場合には、他の入力端子が入力状態であったとしても、非入力状態の選択入力端子を継続して入力選択部に選択させる。
【０００８】
以上のように、選択制御部が入力状態の入力端子を選択させ自動的に画像情報の入力を切り換える選択制御を実施するので、利用者は、例えば、全ての入力端子が外部機器と接続されていない状態から、目的機器をいずれかの入力端子に接続し、目的機器から画像表示装置に画像信号を供給させるだけで、目的機器と接続された入力端子が選択されることとなり、入力切換操作を実施しなくても、目的機器からの画像を画像表示装置に表示させることができる。
また、利用者が目的機器から画像表示装置に供給される画像情報を一時的に中断させた場合、すなわち、選択入力端子が入力状態から非入力状態になった場合であっても、選択制御部が非入力状態の選択入力端子を継続して選択させるので、他の外部機器へと画像情報の入力が切り換わることがなく、すなわち、画像表示装置に利用者が意図しない他の外部機器からの画像が表示されることがない。
さらに、目的機器から画像表示装置に供給される画像情報を一時的に中断させても目的機器に接続された選択入力端子の選択状態が維持されるため、利用者は、入力切換操作を実施しなくても、目的機器から画像表示装置への画像信号の供給の一時的な中断を解除するだけで、目的機器からの画像を再度、画像表示装置に表示させることができる。
したがって、画像表示装置の操作に慣れていない利用者であっても、目的機器からの画像を画像表示装置に容易に表示させることができ、利便性の向上が図れる。
【０００９】
本発明の画像表示装置では、前記選択入力端子を除く他の前記入力端子を選択し前記画像情報の入力を切り換える旨の入力切換情報を設定入力させる設定入力手段を備え、前記選択制御部は、前記非入力状態の前記選択入力端子を継続して前記入力選択部に選択させている際、前記入力切換情報が設定入力された場合には、前記選択入力端子を除く他の前記入力状態の入力端子を前記入力選択部に選択させることが好ましい。
本発明では、選択制御部は、入力切換情報が設定入力された場合に、選択状態を維持している選択入力端子を除く他の入力状態の入力端子を入力選択部に選択させる。このことにより、利用者は、目的機器から画像表示装置に供給される画像情報を一時的に中断させた後、他の外部機器からの画像を画像表示装置に表示させる場合には、設定入力手段に入力切換情報を設定入力することで、他の外部機器に接続した入力端子が選択されることとなり、他の外部機器からの画像を画像表示装置に表示させることができる。したがって、入力状態から非入力状態になった選択入力端子の選択状態が常時、維持されることなく、入力切換操作によって、他の入力端子を選択させることができ、利便性の向上が図れる。
【００１０】
本発明の画像表示装置では、前記表示手段は、光源装置と、前記光源装置から射出された光束を前記画像情報に基づいて変調する光変調装置と、前記光変調装置にて変調された光束を拡大投射する投射光学装置とを備えていることが好ましい。
本発明では、上述した画像表示装置は、光源装置、光変調装置、および投射光学装置を備えたプロジェクタで構成されている。種々の画像表示装置において、特に、プロジェクタは、その操作に慣れていない利用者が比較的に多いものである。このため、上述した画像表示装置をプロジェクタとすることで、利便性の向上が図れるという効果を好適に図れる。
【００１１】
本発明の制御方法は、画像情報に基づく画像を表示する表示手段と、前記画像情報を入力するための複数の入力端子と、前記複数の入力端子のいずれかの入力端子を介して入力した前記画像情報に基づく画像を前記表示手段に表示させる制御手段とを備えた画像表示装置の制御方法であって、前記制御手段が、前記複数の入力端子毎に、前記画像情報が入力されている入力状態であるか、または前記画像情報が入力されていない非入力状態であるかを検出する入力状態検出ステップと、前記入力状態の入力端子を選択し、選択した前記入力端子を介して前記画像情報を入力させる選択制御ステップと、選択した前記入力端子を介して入力された前記画像情報に基づいて、前記表示手段に画像を表示させる表示制御ステップとを実行し、前記選択制御ステップでは、前記複数の入力端子のうち選択している選択入力端子が前記入力状態から前記非入力状態になった場合には、前記非入力状態の前記選択入力端子を継続して選択することを特徴とする。
本発明の制御方法は、上述した画像表示装置によって実施されるものであるので、上述した画像表示装置と同様の作用および効果を享受できる。
【００１２】
本発明の制御プログラムは、画像情報に基づく画像を表示する表示手段と、前記画像情報を入力するための複数の入力端子と、前記複数の入力端子のいずれかの入力端子を介して入力した前記画像情報に基づく画像を前記表示手段に表示させる制御手段とを備えた画像表示装置の制御プログラムであって、上述した制御方法を前記制御手段に実行させることを特徴とする。
【００１３】
本発明の記録媒体は、上述した制御プログラムがコンピュータに読取可能に記録されていることを特徴とする。
【００１４】
以上のような構成の制御プログラムおよび記録媒体は、上述した制御方法を実施するために利用されるので、上述した制御方法と同様の作用および効果を享受できる。
また、上述した制御プログラムを記録媒体に記録させるので、プログラムの取り扱いが容易となる。
【発明を実施するための最良の形態】
【００１５】
以下、本発明の実施の一形態を図面に基づいて説明する。
〔プロジェクタの構成〕
図１は、プロジェクタ１の構成を示すブロック図である。
プロジェクタ１は、入力した画像情報（画像信号）に対して所定の画像処理を施し、画像処理を施した画像情報に基づいて、光源から射出された光束を光学的に処理して画像光を形成し、スクリーン（図示略）に拡大投射する。このプロジェクタ１は、図１に示すように、表示手段としての画像投射装置１０と、設定入力手段としての操作装置２０と、複数の入力端子３０と、制御手段としての制御装置４０とで大略構成されている。
【００１６】
画像投射装置１０は、制御装置４０による制御の下、画像光を形成してスクリーンに拡大投射する。この画像投射装置１０は、図１に示すように、光源装置１１と、光変調装置１２と、投射光学装置１３とを備える。
【００１７】
光源装置１１は、制御装置４０による制御の下、光束を光変調装置１２に向けて射出する。この光源装置１１は、放電発光型の超高圧水銀ランプで構成されている。なお、光源装置１１としては、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
【００１８】
光変調装置１２は、光源装置１１から射出された光束を制御装置４０からの駆動信号に応じて画像光に変調して投射光学装置１３に射出する。
投射光学装置１３は、光変調装置１２から射出された画像光をスクリーンに向けて拡大投射する。
【００１９】
操作装置２０は、図示しないリモートコントローラや、プロジェクタ１に備えられたボタンやキーにより構成され、利用者による操作を認識して所定の操作信号を制御装置４０に出力する。この操作装置２０は、図１に示すように、入力切換部２１等を備える。なお、図１では、操作装置２０におけるプロジェクタ１の電源ＯＮ／ＯＦＦを実施する入力部、音量調整を実施する入力部、投影画像の画質調整を実施する入力部等の他の入力部については、図示を省略している。
【００２０】
入力切換部２１は、他の入力端子を選択し画像信号の入力を切り換える旨の入力切換情報を設定入力させるための入力ボタンである。そして、入力切換部２１は、利用者による押下（入力切換操作）を認識し、入力切換情報としての操作信号を制御装置４０に出力する。
【００２１】
複数の入力端子３０は、外部機器（図示略）から画像信号を入力するための入力端子であり、図１に示すように、第１の入力端子３１と、第２の入力端子３２と、第３の入力端子３３と、第４の入力端子３４とで構成されている。
第１の入力端子３１は、Ｒ（赤）、Ｇ（緑）、Ｂ（青）成分毎の信号が独立したアナログＲＧＢ信号を入力するための端子（例えば、Dsub端子等）で構成されている。すなわち、第１の入力端子３１は、外部機器である例えばＰＣ（パーソナルコンピュータ）等と信号線を介して接続可能とし、ＰＣ等から出力されるアナログＲＧＢ信号を入力する。
【００２２】
第２の入力端子３２は、ハイビジョン放送に代表され、輝度情報を持つ輝度信号と、輝度信号および赤色信号の差を取った赤色差信号と、輝度信号および青色信号の差を取った青色差信号との３つの信号から構成されるコンポーネント信号を入力するための端子（例えば、Ｄ端子等）で構成されている。すなわち、第２の入力端子３２は、外部機器である例えばＤＶＤプレーヤ等と信号線を介して接続可能とし、ＤＶＤプレーヤ等から出力されるコンポーネント信号を入力する。
【００２３】
第３の入力端子３３は、輝度情報を持つ信号と、色情報を持つ信号とが分離されたＳ信号を入力するための端子（例えば、Ｓ端子等）で構成されている。すなわち、第３の入力端子３３は、外部機器である例えばＳ信号ビデオテープレコーダ等と信号線を介して接続可能とし、Ｓ信号ビデオテープレコーダ等から出力されるＳ信号を入力する。
第４の入力端子３４は、従来の地上波ＴＶ放送に代表され、輝度情報を持つ信号と、色情報を持つ信号とが複合化されたコンポジット信号を入力するための端子（例えば、１ＲＣＡ端子等）で構成されている。すなわち、第４の入力端子３４は、外部機器である例えばビデオテープレコーダ等と信号線を介して接続可能とし、ビデオテープレコーダ等から出力されるコンポジット信号を入力する。
【００２４】
制御装置４０は、ＣＰＵ(Central Processing Unit)等の主制御部４５を含んで構成され、メモリ４６に記憶された制御プログラムにしたがって、プロジェクタ１全体を制御する。なお、制御装置４０の構成としては、入力した画像信号の処理機能を主に説明し、その他の機能については説明を省略する。この制御装置４０は、主制御部４５およびメモリ４６の他、入力選択部４１と、入力状態検出部４２と、信号変換部４３と、表示制御部４４等を備える。
【００２５】
入力選択部４１は、主制御部４５からの制御信号に応じて、複数の入力端子３１〜３４のいずれかの入力端子３０を選択し、選択した入力端子３０を介して信号を入力させる、いわゆるセレクタで構成されている。
入力状態検出部４２は、主制御部４５からの制御信号に応じて、入力端子３１〜３４毎に、画像信号が入力されている入力状態であるか、または、画像信号が入力されていない非入力状態であるかを検出する。例えば、入力状態検出部４２は、入力状態および非入力状態の検出を、画像信号に含まれている同期信号の有無を確認することで検出する。そして、入力状態検出部４２は、入力状態、あるいは、非入力状態に応じた信号を主制御部４５に出力する。
【００２６】
信号変換部４３は、主制御部４５からの制御信号に応じて、入力選択部４１にて選択された入力端子３０を介して入力した画像信号に対して、所定の信号処理を実施し、デジタル信号（デジタル画像データ）として出力する。例えば、信号変換部４３は、入力した画像信号がアナログＲＧＢ信号やコンポーネント信号であった場合にはＡ／Ｄ変換処理等を施しデジタル信号として出力する。また、信号変換部４３は、入力した画像信号がＳ信号やコンポジット信号であった場合には、コンポーネント信号に変換してからＡ／Ｄ変換処理等を施しデジタル信号として出力する。
【００２７】
表示制御部４４は、主制御部４５からの制御信号に応じて、信号変換部４３を介して入力したデジタル画像データに対して所定の処理を施し、処理を施したデジタル画像データに基づく駆動信号を光変調装置１２に出力して、所定の画像光を光変調装置１２に形成させる。この表示制御部４４は、図１に示すように、画像データ処理部４４１と、光変調装置駆動部４４２とを備える。
画像データ処理部４４１は、信号変換部４３から出力されたデジタル画像データに対して、解像度を光変調装置１２の解像度（画素数）に合わせる解像度変換処理、拡大・縮小等の画像サイズ調整処理、色相、色度、コントラスト、シャープネス、および輝度等の画質調整処理、メニューやメッセージ等のＯＳＤ（オンスクリーンディスプレイ）画像を合成する処理、台形歪補正処理、ガンマ補正処理等の各種の画像データ処理を実施する。なお、具体的な図示は省略したが、画像データ処理部４４１は、上述した画像データ処理を実施する際の画像メモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。
【００２８】
光変調装置駆動部４４２は、画像データ処理部４４１にて画像データ処理が施されたデジタル画像データから光変調装置１２を駆動するための駆動信号を生成し、光変調装置１２に駆動信号を出力することで画像光を形成させる。
【００２９】
メモリ４６は、制御プログラム、主制御部４５の処理に必要な情報、主制御部４５にて処理された情報等を記憶する。
主制御部４５は、メモリ４６に記憶された制御プログラムにしたがって、各構成部材４１〜４４に所定の制御信号を出力し、処理を実行させる。
例えば、主制御部４５は、入力状態検出部４２にて入力状態であると検出された入力端子３０のいずれかの入力端子３０を入力選択部４１に選択させ、選択された入力端子３０を介して画像信号を入力させる選択制御（入力状態の入力端子３０を選択させ自動的に画像信号の入力を切り換える制御）を実施する。
なお、主制御部４５は、選択制御を実施する際、以下の場合に限り、異なる制御を実施する。
すなわち、主制御部４５は、各入力端子３１〜３４のうち入力選択部４１にて現在、選択されている選択入力端子３０が入力状態から非入力状態になった場合には、他の入力端子３０が入力状態および非入力状態のいずれの状態であっても、非入力状態の選択入力端子３０を継続して入力選択部４１に選択させる。
また、主制御部４５は、非入力状態の選択入力端子３０を継続して入力選択部４１に選択させている際、利用者により入力切換操作が実施された場合には、選択入力端子３０を除く他の入力状態の入力端子３０を入力選択部４１に選択させる。
すなわち、主制御部４５は、本発明に係る選択制御部に相当する。
【００３０】
〔プロジェクタの動作（制御方法）〕
次に、上述したプロジェクタ１の動作について図面を参照して説明する。
図２は、プロジェクタ１の動作を説明するフローチャートである。
なお、以下では、プロジェクタ１の動作として、入力端子３０の選択動作を主に説明し、その他の動作については、説明を省略する。
また、以下では、説明の便宜上、各入力端子３１〜３４のうち、第１の入力端子３１がＰＣと接続し、第２の入力端子３２がＤＶＤプレーヤと接続し、各入力端子３１，３２にのみ画像信号がそれぞれ供給されているものとする。
【００３１】
先ず、利用者による操作装置２０の入力操作によりプロジェクタ１の電源がＯＮされ、プロジェクタ１が起動すると、主制御部４５は、メモリ４６に記憶された制御プログラムを読み出し、該制御プログラムにしたがって、以下の処理を実行する。
すなわち、主制御部４５は、入力状態検出部４２に所定の制御信号を出力する。そして、入力状態検出部４２は、主制御部４５からの制御信号に応じて、入力端子３１〜３４毎に入力状態であるか非入力状態であるかを検出する（ステップＳ１：入力状態検出ステップ）。なお、図２では、図示を省略したが、入力状態検出部４２は、以下の処理が実行されている間、継続してステップＳ１を実行しているものである。
なお、本実施形態では、上述したような入力端子３０と外部機器との接続状態により、プロジェクタ１の起動直後では、入力状態検出部４２は、ステップＳ１において、第１の入力端子３１および第２の入力端子３２が入力状態であり、その他の入力端子３３，３４が非入力状態である旨を検出し、検出した各状態に応じた信号を主制御部４５に出力する。
【００３２】
ステップＳ１の後、主制御部４５は、入力状態検出部４２から出力される信号に基づいて、各入力端子３１〜３４のうち、入力状態である入力端子３０があるか否かを判定する（ステップＳ２）。
なお、上述したような入力端子３０と外部機器との接続状態ではなく、例えば、全ての入力端子３１〜３４に画像信号が供給されていない場合には、主制御部４５は、ステップＳ２において、「Ｎ」と判定することとなる。ステップＳ２において、主制御部４５は、「Ｎ」と判定した場合には、表示制御部４４に所定の制御信号を出力する。そして、表示制御部４４は、無信号状態を示す例えば青色の無地の画像光を光変調装置１２に形成させる。以上の処理により、プロジェクタ１から画像光が拡大投射され、スクリーン上に無信号状態を示す無信号画像が表示される（ステップＳ３）。ステップＳ３の後、主制御部４５は、再度、ステップＳ２を実行し、ステップＳ２において、「Ｙ」と判定するまで、ステップＳ２，Ｓ３を繰り返し実行する。
【００３３】
本実施形態では、上述したような入力端子３０と外部機器との接続状態により、プロジェクタ１の起動直後では、ステップＳ２において、主制御部４５は、「Ｙ」、すなわち、入力状態である入力端子３０（第１の入力端子３１および第２の入力端子３２）があると判定する。
そして、主制御部４５は、ステップＳ２において「Ｙ」と判定すると、入力状態である入力端子３０のいずれかの入力端子３０を入力選択部４１に選択させ、選択された入力端子３０を介して画像信号を入力させる（ステップＳ４：選択制御ステップ）。
例えば、主制御部４５は、各入力端子３１〜３４の選択順序を示す選択順序情報をメモリ４６から読み出し、選択順序情報に基づく選択順序にしたがって、入力状態である入力端子３０のいずれかの入力端子３０を入力選択部４１に選択させる。本実施形態では、選択順序として、第１の入力端子３１が「１番」、第２の入力端子３２が「２番」、第３の入力端子３３が「３番」、第４の入力端子３４が「４番」に設定されている。そして、プロジェクタ１の起動直後では、主制御部４５は、ステップＳ４において、入力状態である第１の入力端子３１および第２の入力端子３２のうち、上記選択順次にしたがって、第１の入力端子３１を入力選択部４１に選択させる。
【００３４】
ステップＳ４の後、主制御部４５は、信号変換部４３に所定の制御信号を出力する。そして、信号変換部４３は、主制御部４５からの制御信号に応じて、選択入力端子３０を介して入力した画像信号に対して、所定の信号処理を実施し、デジタル画像データを出力する。また、主制御部４５は、表示制御部４４に所定の制御信号を出力する。そして、表示制御部４４は、主制御部４５からの制御信号に応じて、信号変換部４３から出力されるデジタル画像データに対して、画像データ処理を実行し、光変調装置１２に前記画像信号に基づく画像光を形成させる。以上の処理により、プロジェクタ１から画像光が拡大投射され、スクリーン上に、外部機器から出力された画像信号に基づく画像が表示される（ステップＳ５：表示制御ステップ）。なお、プロジェクタ１の起動直後では、上述したように選択入力端子３０が第１の入力端子３１であるため、ＰＣから出力された画像信号に基づく画像が表示されることとなる。
【００３５】
ステップＳ５の後、主制御部４５は、入力状態検出部４２から出力される信号に基づいて、選択入力端子３０が非入力状態になったか否かを常時、監視する（ステップＳ６）。
ステップＳ６において、主制御部４５は、「Ｎ」、すなわち、選択入力端子３０の入力状態が継続していると判定した場合には、ステップＳ５において、画像表示を継続させる。
一方、ステップＳ６において、主制御部４５は、「Ｙ」、すなわち、選択入力端子３０が入力状態から非入力状態になった（例えば、選択入力端子３０から外部機器と接続される接続ケーブルが引き抜かれた、あるいは、外部機器への入力操作によりプロジェクタ１への画像信号の供給が一時停止された等）と判定した場合には、選択入力端子３０を継続して入力選択部４１に選択させる（ステップＳ７：選択制御ステップ）。
【００３６】
ステップＳ７の後、主制御部４５は、ステップＳ３と同様に、表示制御部４４に所定の制御信号を出力し、スクリーン上に無信号状態を示す無信号画像を表示させる（ステップＳ８）。
例えば、選択入力端子３０が第１の入力端子３１であり、ステップＳ５において、ＰＣから出力された画像信号に基づく画像が表示されている際、ＰＣと第１の入力端子３１とを接続する接続ケーブルが引き抜かれた場合には、主制御部４５は、以下の処理を実行する。すなわち、主制御部４５は、ステップＳ６において「Ｙ」と判定する。そして、主制御部４５は、ステップＳ４を実行して入力状態である他の入力端子３０（第２の入力端子３２）を入力選択部４１に選択させることなく、すなわち、他の外部機器（ＤＶＤプレーヤ）から出力される画像信号に基づく画像を表示させることなく、非入力状態である第１の入力端子３１を継続して入力選択部４１に選択させ、無信号状態を示す無信号画像を表示させる。
【００３７】
ステップＳ８の後、主制御部４５は、入力状態検出部４２から出力される信号に基づいて、選択入力端子３０が入力状態になったか否かを常時、監視する（ステップＳ９）。
ステップＳ９において、主制御部４５は、「Ｙ」、すなわち、選択入力端子３０が非入力状態から入力状態になった（例えば、接続ケーブルが再度、選択入力端子３０に挿し込まれ、接続ケーブルを介して選択入力端子３０に画像信号が供給された、あるいは、外部機器への入力操作により一時停止が解除された等）と判定した場合には、上述したステップＳ５を実行し、再度、選択入力端子３０に接続した外部機器からの画像信号に基づく画像を表示させる。
【００３８】
一方、ステップＳ９において、主制御部４５は、「Ｎ」、すなわち、選択入力端子３０の非入力状態が継続していると判定した場合には、利用者により入力切換部２１が押下され、入力切換部２１からの入力切換情報としての操作信号を入力したか否かを常時、監視する（ステップＳ１０）。
ステップＳ１０において、主制御部４５は、「Ｎ」と判定した場合には、ステップＳ８において、無信号状態を示す無信号画像の表示を継続させる。
【００３９】
一方、ステップＳ１０において、主制御部４５は、「Ｙ」と判定した場合には、ステップＳ２の処理に移行する。
例えば、選択入力端子３０が第１の入力端子３１であり、第２の入力端子３２が入力状態であった場合には、ステップＳ２において入力状態の入力端子３０（第２の入力端子３２）があると判定され、ステップＳ４において第１の入力端子３１を除く他の入力状態の第２の入力端子３２が選択される。そして、ステップＳ５において、スクリーン上に表示された画像が無信号状態を示す無信号画像から、ＤＶＤプレーヤからの画像信号に基づく画像の表示に切り換えられる。
【００４０】
なお、上記では説明を省略したが、主制御部４５は、ステップＳ５において、選択入力端子３０を介して入力した画像信号に基づく画像を表示させている際、利用者による入力切換操作が実施された場合には、上記同様に、ステップＳ２の処理に移行する。そして、選択入力端子３０を除く他の入力端子３０のうち入力状態の入力端子３０がある場合には、該入力端子３０が選択され、該入力端子３０を介して入力した画像信号に基づく画像の表示に切り換わるものである。また、選択入力端子３０を除く他の入力端子３０のうち入力状態の入力端子３０がない場合には、選択入力端子３０が選択され、ステップＳ５において、選択入力端子３０を介して入力した画像信号に基づく画像の表示が継続される。
【００４１】
上述した本実施形態によれば、以下の効果がある。
本実施形態では、プロジェクタ１を構成する制御装置４０は、入力選択部４１、入力状態検出部４２、表示制御部４４、および主制御部４５を備え、主制御部４５が入力状態の入力端子３０を選択させ自動的に画像信号の入力を切り換える選択制御（ステップＳ４）を実施する。このことにより、利用者は、例えば、全ての入力端子３０が外部機器と接続されていない状態から、利用目的とする外部機器（目的機器）をいずれかの入力端子３０に接続し、目的機器からプロジェクタ１に画像信号を供給させるだけで、目的機器と接続された入力端子３０が選択されることとなり、入力切換操作を実施しなくても、目的機器からの画像をプロジェクタ１に表示させることができる。
【００４２】
また、利用者が目的機器からプロジェクタ１に供給される画像信号を一時的に中断させた場合、すなわち、選択入力端子３０が入力状態から非入力状態になった場合であっても、主制御部４５が非入力状態の選択入力端子３０を継続して選択させる（ステップＳ７）ので、他の外部機器へと画像信号の入力が切り換わることがなく、すなわち、スクリーン上に利用者が意図しない他の外部機器からの画像が表示されることがない。
さらに、目的機器からプロジェクタ１に供給される画像信号を一時的に中断させても目的機器に接続された選択入力端子３０の選択状態が維持されるため、利用者は、入力切換操作を実施しなくても、目的機器からプロジェクタ１への画像信号の供給の一時的な中断を解除するだけで、目的機器からの画像を再度、プロジェクタ１に表示させる（ステップＳ９からステップＳ５への移行）ことができる。
したがって、プロジェクタ１の操作に慣れていない利用者であっても、目的機器からの画像をプロジェクタ１に容易に表示させることができ、利便性の向上が図れる。
また、種々の画像表示装置において、特に、プロジェクタ１は、その操作に慣れていない利用者が比較的に多いため、上述した制御構造を搭載することで、利便性の向上が図れるという効果を好適に図れる。
【００４３】
また、主制御部４５は、利用者による入力切換操作が実施された場合に、選択状態を維持している選択入力端子３０を除く他の入力状態の入力端子３０を入力選択部４１に選択させる（ステップＳ１０からステップＳ２，Ｓ４への移行）。このことにより、利用者は、目的機器からプロジェクタ１に供給される画像信号を一時的に中断させた後、他の外部機器からの画像をプロジェクタ１に表示させる場合には、入力切換操作を実施することで、他の外部機器に接続した入力端子３０が選択されることとなり、他の外部機器からの画像をプロジェクタ１に表示させることができる。したがって、入力状態から非入力状態になった選択入力端子３０の選択状態が常時、維持されることなく、入力切換操作によって、他の入力端子３０を選択させることができ、利便性の向上が図れる。
【００４４】
なお、本発明は前述の実施形態に限定されるものではなく、本発明の目的を達成できる範囲での変形、改良等は本発明に含まれるものである。
前記実施形態では、複数の入力端子３０を４つの入力端子３１〜３４で構成していたが、入力端子３０の数は、４つに限らず、２つや３つでもよく、あるいは、５つ以上であっても構わない。また、複数の入力端子３０として、Dsub端子、Ｄ端子、Ｓ端子、１ＲＣＡ端子等を採用していたが、これに限らず、その他の端子、例えば、３ＲＣＡ端子や５ＲＣＡ端子、デジタル信号を入力するためのＤＶＩ端子、ＬＡＮ(Local Area Network)ケーブルと接続するための１００BASE-T/１０BASE-T端子、ＬＡＮカード等を着脱可能とするカードスロット、ストレージデバイスと接続するための各種端子（例えば、ＵＳＢ(Universal Serial Bus)に対応したハードディスクやＵＳＢメモリと接続するためのＵＳＢ端子等）等を採用しても構わない。
【００４５】
前記実施形態での光変調装置１２としては、透過型の液晶パネル、反射型の液晶パネル、あるいは、ＤＭＤ(Digital Micromirror Device)(米国テキサスインスツルメント社の商標)等を採用してもよい。
前記実施形態では、画像表示装置としてフロント投射型のプロジェクタを採用していたが、これに限らず、複数の入力端子３０を備えた画像表示装置であればよく、例えば、パーソナルコンピュータ、液晶テレビ、プラズマテレビ、有機ＥＬディスプレイ等の表示手段を備えたテレビ受信機、背面投射型のリアプロジェクタとしても構わない。
【産業上の利用可能性】
【００４６】
本発明は、利便性の向上が図れるため、プレゼンテーションやホームシアタに用いられるプロジェクタ等の画像表示装置に利用できる。
【図面の簡単な説明】
【００４７】
【図１】本実施形態におけるプロジェクタの構成を示すブロック図。
【図２】前記実施形態におけるプロジェクタの動作を説明するフローチャート。
【符号の説明】
【００４８】
１・・・プロジェクタ（画像表示装置）、１０・・・画像投射装置（表示手段）、１１・・・光源装置、１２・・・光変調装置、１３・・・投射光学装置、２０・・・操作装置（設定入力手段）、３０・・・入力端子、４０・・・制御装置（制御手段）、４１・・・入力選択部、４２・・・入力状態検出部、４４・・・表示制御部、４５・・・主制御部（選択制御部）、Ｓ１・・・入力状態検出ステップ、Ｓ４，Ｓ７・・・選択制御ステップ、Ｓ５・・・表示制御ステップ。
【図１】
2009150965.tif 000003
【図２】
2009150965.tif 000004